【事件の表示】
平成　２年特許願第２０８１０８号「キーボードあるいはこのキーボードを有する情報処理装置」拒絶査定に対する審判事件［　平成　４年　３月２７日出願公開、特開平　４−　９５１１３                        ］について、次のとおり審決する。
【結　論】
　本件審判の請求は、成り立たない。
【理　由】
１．本願は、平成２年８月８日の出願であり、その請求項１〜請求項３に係る発明は、平成７年１１月１日付けの手続補正書により全文補正された明細書と図面、並びに平成１１年１１月８日付けの手続補正書の記載からみて、その特許請求の範囲の請求項１〜請求項３に記載されたとおりの以下のものにあると認める。
　【請求項１】　本体下ケースと、この本体下ケースの上方に組合せ取付けられる上面カバーとから構成される本体ケースと、この本体ケースの上方に設けられ密集配置された多数のキートップを有するキーボードにおいて、
　前記密集配置された多数のキートップをキーボードの使用状態においてこのキーボードを取巻く前記上面カバーの手前側内周縁部及び左右側方内周縁部にその高さをキートップ側に向けて低くした斜面部を形成し、この斜面部は前記上面カバーの左右側方内周縁部より手前側内周縁部の斜面を緩やかにすることを特徴とするキーボード。
　【請求項２】　前記特許請求の範囲第１項記載のキーボードにおいて、前記上面カバーの周辺上面から上方に突出しないように配置することを特徴とするキーボード。
　【請求項３】　本体下ケースと、この本体下ケースの上方に組合せ取付けられる上面カバーとから構成される本体ケースと、この本体ケースの後方に開閉自在に取付けられるディスプレイケースと、このディスプレイケースに配置した表示画面と、この表示画面の周辺をフラットな押え板でディスプレイに保持するようにして実質的にフラットに構成したディスプレイと、前記本体ケースに設けられ密集配置された多数のキートップを有する情報処理装置において、
　前記密集配置された多数のキートップをキーボードの使用状態においてこのキーボードを取巻く前記上面カバーの手前側内周縁部及び左右側方内周縁部にその高さをキートップ側に向けて低くした斜面部を形成し、この斜面部は前記上面カバーの左右側方内周縁部より手前側内周縁部の斜面を緩やかにし、前記ディスプレイケースを回転して本体ケースに閉じたとき、前記押え板の厚みによって前記表示画面と前記キートップが接触しない構成としたことを特徴とするキーボード。
　
２．これに対して、当審において平成１１年８月２４日付けで通知した拒絶理由通知書において引用され、本願出願前に日本国内において頒布された刊行物である、実願昭５０ー１１８４２号（実開昭５１ー９３６３６号）のマイクロフイルム（以下、引用例１と云う）、実願昭６３ー１４４４３４号（実開平２ー６５８２９号）のマイクロフイルム（以下、引用例２と云う）、及び、実願昭５２ー８３７５３号（実開昭５４ー１１１２４号）のマイクロフイルム（以下、引用例３と云う）には、夫々以下の事項が記載されている。
　引用例１
　「回動自在に結合される少なくとも２つの箱体からなり、キーボード、電子回路部および表示部を備え、箱体間の電気的接続をワイヤー、フレキシブル基板等の配線手段を用いる折り畳み式計算機において、上記箱体の上記配線手段の導出されるへりに丸みを形成したことを特徴とする折り畳み式計算機。」（実用新案登録請求の範囲）
　「本考案ではこのような点に鑑みて、箱体の配線手段導出部を工夫したものであり、以下図面とともに詳説する。
　第２図は第１図（ａ）におけるＡーＡ′切断線における断面図を描いたもので、（ａ）は開成状態、（ｂ）は閉成状態を示す。
　箱体１にはキーボード４が組み込まれ、キーボード部は、キートップ４０、このキートップを上下動自在に支持する板バネ４１，キートップ４０の押下に伴ないキー接点を短絡する導電性ゴムシート４２，・・・・・
　フレキシブル基板７は両箱体１，２に跨って配されるに際し、各箱体１，２の上面板１ａ，２ａおよび下面板１ｂ，２ｂに設けられた突起１ａａ，２ａａ，１ｂｂ，２ｂｂ間それぞれに挟まれ結合部７０に至っている。フレキシブル基板７はこれによって各箱体１，２に固定される。」（第３頁第２行〜第４頁第１３行、第２図に示される箱体１の上面板１ａの形状に注意のこと）
　引用例２
　「ケース（２０）内に設けられたキースイッチ（２８）に対応して複数個のキートップ（１４）が一体的に形成されたキートップシート（１０）をケース（２０）に取付けるキートップシートの取付構造において、
　キートップシート（１０）の少なくとも長手方向両サイド表側に傾斜面（１６ａ）の形成されたリブ（１６）を設け、
　ケース（２０）にキートップシート（１０）に形成された複数のキートップ（１４）の各々が挿入されるキートップ穴（２１）を画成する格子状保持部（２２）を設けるとともに、
　ケース（２０）の内側にキートップシート（１０）のリブ（１６）に形成された前記傾斜面（１６ａ）に対応する傾斜面（２４ａ）を有する溝（２４）を設け、
　キートップシート（１０）のリブ（１６）をケース（２０）の溝（２４）中に挿入して位置決めしながら、キートップシート（１０）をケースの格子状保持部（２２）及び溝（２４）中に内側から貼付したことを特徴とするキートップシートの取付構造。」（実用新案登録請求の範囲、図面に示されるケース（２０）の形状を参照のこと）
　「携帯電話機等に使用されるキートップシートの取付構造に関し、
　ケースに貼付する際に延びを防止し、位置決めの容易なキートップシートの取付構造を提供することを目的とし、
　ケース内に設けられたキ−スイッチに対応して複数個のキートップが一体的に形成されたキートップシートをケースに取付けるキートップシートの取付構造において、キートップシートの長手方向両サイド表側に傾斜面の形成されたリブを設けケースにキートップシートに形成された複数のキートップの各々が挿入されるキートップ穴を画成する格子状保持部を設けるとともに、ケースの内側にキートップシートのリブに形成された前記傾斜面に対応する傾斜面を有する溝を設け、キートップシートのリブをケースの溝中に挿入して位置決めしながら、キートップシートをケースの格子状保持部及び溝中に内側から貼付して構成する。」（第２頁第８行〜第３頁第６行）
　「本考案は携帯電話機等に使用されるキートップシートの取付構造に関する。」（第３頁第８行〜第９行）
　引用例３
　「キーボードと、キーボードを収容するケースと、キーボードの操作部分を覆うカバーと、カバーを固定する押え板とで構成され、前記ケースは実装される前記キーボードのキートップのある操作面が解放する窓を有し、該操作面周縁に凹溝を設けてなり、前記カバーは防水性と弾性を有する膜で、その中央部は前記キートップの形状に合せた凹、凸を有すると共に膜の周縁は前記ケースの凹溝に係合する際圧縮される突提を有する裾となっており更に前記カバーの上に前記キートップ部分が突出する窓穴を設けた押さえ板を以っケースに固定することを特徴とする携帯端末機器等のキーボード実装構造。」（実用新案登録請求の範囲）
　「本考案は携帯端末機器における防塵、防滴構造を持つキーボード操作部に関するものである。」（第２頁第２行〜第３行）
　「本考案を図面により以下に説明する。第１図は従来使用されているキーボード操作部の横断面を示し、ケース１側にはキートップ３のみが突き出る穴が複数個空いており、表面にはキートップ機能表示等がなされている化粧板４が熱溶着等で貼付けられている。・・・・・
　第２図は本考案によるキーボード操作部を具備した携帯端末機の斜視図であり、全てのキートップが透明な薄い弾性膜で覆われている。他は従来のものと何ら変りない外観を呈し美的にも劣ることはない。３はキートップ、５はケース、６はカバー、８はカバー、９は押え板、１０は端子である。第３図は本考案による操作部横断面、第４図はその部分拡大を示す。第４図に於いてケース５にはキーボード２全体が入り込む窓７と、その周囲に凹溝１５を設け、キーボード２は電気部品の実装されるプリント板１１に接続され前記ケース窓部に面一状態になるようケース内部から螺子等で固定する。」（第３頁第５行〜第４頁第１０行）
　
３．本願請求項１に係る発明（以下、前者と云う）と引用例１に記載された発明（以下、後者と云う）とを対比すると、後者の「下面板１ｂ」、「上面板１ａ」、及び「箱体１」は、前者の「本体下ケース」、「上面カバー」、及び「本体ケース」に、夫々相当するものと認められるから、両者は、「本体下ケースと、この本体下ケースの上方に組合せ取付けられる上面カバーとから構成される本体ケースと、この本体ケースの上方に設けられ密集配置された多数のキートップを有するキーボードにおいて、前記密集配置された多数のキートップをキーボードの使用状態においてこのキーボードを取巻く前記上面カバーの手前側内周縁部にその高さをキートップ側に向けて低くした斜面部を形成したキーボード。」であることにおいて一致し、以下の点において相違するものと認められる。
　相違点
　前者は、上面カバーの左右側方内周縁部にもその高さをキートップ側に向けて低くした斜面部を形成し、この斜面部は上面カバーの左右側方内周縁部より手前側内周縁部の斜面を緩やかにしているのに対して、後者は、左右側方内周縁部に関してその形状が明らかでない点。
　
４．相違点についての判断
　キーボードにおいて、上面カバーの左右側方内周縁部にその高さをキートップ側に向けて低くした斜面部を形成することは、引用例２において、ケース２０の上面の左右側方内周縁部の形状、及び、引用例３において、第１図のケース１の上面の左右側方内周縁部の形状、第２図〜第４図のケース５の上面の左右側方内周縁部の形状からみて、明らかであり、これらの形状を、後者の上面カバーの左右側方内周縁部に採用して、上面カバーの左右側方内周縁部にもその高さをキートップ側に向けて低くした斜面部を形成することは、当業者が容易に想到し得たものと認められる。
　そして、上面カバーの左右側方内周縁部にキートップ側に向けて低くした斜面部を形成するに際し、この斜面部を上面カバーの左右側方内周縁部より手前側内周縁部の斜面を緩やかにすることは、キー操作をするときに、指が上面カバーの内周縁部に当たらないようにすることが当然のことであるから、キー操作をするときの指の位置等を考慮して適宜になし得た程度のものと認められる。
　そして、この相違点に伴う前者の効果についてみても、引用例１〜引用例３に記載された事項から当業者が容易に予測し得た程度のものであり、格別のものとは認められない。
　
５．したがって、本願請求項１に係る発明は、引用例１〜引用例３に記載された発明に基づいて、当業者が容易に発明をすることができたものであるから、特許法第２９条第２項の規定により特許を受けることができない。
　
６．そうすると、本願は、請求項２，請求項３に係る発明について検討するまでもなく、拒絶すべきものである。
　よって、結論のとおり審決する。